(57)【要約】【課題】離隔部を有する編地を編成する給糸口の数を減らすことができる編地の編成方法を提供する。【解決手段】離隔部３を挟んで左右方向あるいは前後方向に並列される第一編地部１および第二編地部２と、第一編地部１の離隔部３側端部に設けられる袋状の第一縁部１１と、第二編地部２の離隔部３側端部に設けられる袋状の第二縁部２１と、を備える編地１００，１０１を、対向する前後一対の針床ＦＢ，ＢＢを備える横編機を用いて編成する。その際、横編機に備わる同一の給糸口９を用いて、第一縁部１１と第二縁部２１とを編成する間に、第一縁部１１の袋内部から第二縁部２１の袋内部に向かって延び、離隔部３を横切る渡り糸部３１を編成し、第一縁部１１と第二縁部２１とを繋ぐ。【選択図】図３
2015124445.tif 000002
【特許請求の範囲】
【請求項１】
離隔部を挟んで左右方向あるいは前後方向に並列される第一編地部および第二編地部と、前記第一編地部の前記離隔部側端部に設けられる袋状の第一縁部と、前記第二編地部の前記離隔部側端部に設けられる袋状の第二縁部と、を備える編地を、対向する前後一対の針床を備える横編機を用いて編成する編地の編成方法において、
前記横編機に備わる同一の給糸口を用いて、前記第一縁部と前記第二縁部とを編成する間に、前記第一縁部の袋内部から前記第二縁部の袋内部に向かって延び、前記離隔部を横切る渡り糸部を編成し、前記第一縁部と前記第二縁部とを繋ぐ編地の編成方法。
【請求項２】
前記編地が筒状編地である請求項１に記載の編地の編成方法。
【請求項３】
前記第一縁部および前記第二縁部を袋編成によって編成し、前記渡り糸部の両端部の固定はタックによって行う請求項１または請求項２に記載の編地の編成方法。
【請求項４】
請求項１〜請求項３のいずれか１項に記載の編地の編成方法によって編地を編成し、
その編地に備わる前記渡り糸部のうち、前記離隔部の位置に配置される部分を切断し、その渡り糸部の切断端をそれぞれ、前記第一縁部の袋内部と前記第二縁部の袋内部に引き込ませる編地の製造方法。
【発明の詳細な説明】
【技術分野】
【０００１】
本発明は、離隔部を有する編地を編成する編地の編成方法、およびその編地の編成方法によって得られた編地を加工する編地の製造方法に関する。
【背景技術】
【０００２】
並列される第一編地部および第二編地部と、両編地部の間に形成される離隔部と、を備える編地を、横編機を用いて編成することが行われている。例えば、離隔部を有する編地として、左右に並列される右前身頃（第一編地部）と左前身頃（第二編地部）との間が離隔したカーディガンを挙げることができる。また、右前身頃の離隔部側端部と左前身頃の離隔部側端部にはそれぞれ、袋状の右前立て（第一縁部）と袋状の左前立て（第二縁部）が形成されることがある。
【０００３】
ここで、横編機を用いて編成された編地は通常、洗濯された後、スチームやアイロンがけなどのセット作業に供される。しかし、編地の離隔部近傍がカールしたり、洗濯によって縮んだりするため、セット作業の作業性が芳しくない。このような問題点に対して、例えば特許文献１では、カーディガンの右前身頃と後身頃と左前身頃とをＣ字状に編成すると共に、これら身頃を編成するベース編糸とは異なる挿入糸で右前身頃と左前身頃とを結束する編地の編成方法が提案されている。つまり、特許文献１の編地の編成方法では、ベース編糸を給糸する給糸口と挿入糸を給糸する給糸口の二つの給糸口が必要となる。
【０００４】
一方、カーディガンを筒状編地ではなく単層編地として編成することもある。例えば、針床上でカーディガンの右前身頃と左前身頃とを左右に並列させた状態で編成し、両前身頃の肩ラインに続いてカーディガンの後身頃を編成する。単層編地のカーディガンを編成した後は、前身頃と後身頃の脇のラインを縫製によって接続することでカーディガンを完成させる。この場合、右前身頃と左前身頃を編成する際、別々の給糸口が必要となる。さらに、右前身頃と左前身頃とを、特許文献１の編地の編成方法と同様に挿入糸で結束するのであれば、合計三つの給糸口が必要となる。
【先行技術文献】
【特許文献】
【０００５】
【特許文献１】特開２００８−２６１０７４号公報
【発明の概要】
【発明が解決しようとする課題】
【０００６】
近年、より生産性良く編地を編成することが望まれている。その要請に応えるべく、編地の編成に使用する給糸口の数を減らすことが検討されている。給糸口の数を減らすことができれば、その分だけ糸入れ・糸出しの手間を低減することができ、編地の生産性を向上させることができるからである。
【０００７】
本発明は、上記事情に鑑みてなされたものであり、その目的の一つは、離隔部を有する編地を編成する給糸口の数を減らすことができる編地の編成方法を提供することにある。また、本発明の別の目的は、本発明の編地の編成方法で得られた編地を用いて、離隔部が開いた編地を製造するための編地の製造方法を提供することにある。
【課題を解決するための手段】
【０００８】
本発明の編地の編成方法は、離隔部を挟んで左右方向あるいは前後方向に並列される第一編地部および第二編地部と、第一編地部の離隔部側端部に設けられる袋状の第一縁部と、第二編地部の離隔部側端部に設けられる袋状の第二縁部と、を備える編地を、対向する前後一対の針床を備える横編機を用いて編成する編地の編成方法である。この本発明の編地の編成方法では、横編機に備わる同一の給糸口を用いて、第一縁部と第二縁部とを編成する間に、第一縁部の袋内部から第二縁部の袋内部に向かって延び、離隔部を横切る渡り糸部を編成し、第一縁部と第二縁部とを繋ぐ。
【０００９】
本発明の編地の編成方法において、編地が筒状編地である形態を挙げることができる。
【００１０】
本発明の編地の編成方法において、第一縁部および第二縁部を袋編成によって編成し、渡り糸部の両端部の固定はタックによって行う形態を挙げることができる。
【００１１】
また、本発明の編地の製造方法は、上記本発明の編地の編成方法によって編地を編成し、その編地に備わる渡り糸部のうち、離隔部の位置に配置される部分を切断し、その渡り糸部の切断端をそれぞれ、第一縁部の袋内部と第二縁部の袋内部に引き込ませる編地の製造方法である。
【発明の効果】
【００１２】
本発明の編地の編成方法によれば、第一縁部、第二縁部、および渡り糸部を同一の給糸口を用いて編成することができる。つまり、離隔部を挟む二つの部分を挿入糸で結束する特許文献１の編地の編成方法に比べて、本発明の編地の編成方法では、使用する給糸口を減らすことができる。
【００１３】
また、本発明の編地の編成方法によれば、離隔部を挟む袋状の第一縁部と第二縁部とを渡り糸部で繋いだ編地を編成することができる。渡り糸部は、第一縁部と第二縁部との相対的な位置、即ち第一縁部が設けられる第一編地部と第二縁部が設けられる第二編地部との相対的な位置を保持する役割を果たす。そのため、編地を洗濯しても第一編地部と第二編地部との相対的な位置がずれ難く、編地のセット作業が行い易い。
【００１４】
筒状編地を編成する本発明の編地の編成方法であれば、一定方向に編地を周回編成することができる。例えば、カーディガンの身頃を編成する場合、右前身頃（第一編地部）→第一縁部→渡り糸部→第二縁部→左前身頃（第二編地部）→後身頃→右前身頃（第一編地部）→…といった順番で周回編成を行うことができる。一定方向に編地を周回編成することで、編地の全体的な目面（ｌｏｏｐ  ｑｕａｌｉｔｙ）を揃えることができる。これに対して、カーディガンの右前身頃と左前身頃を挿入糸で結束する特許文献１の編地の編成方法では、右前身頃と後身頃と左前身頃をＣ字状に編成することになる。その場合、編成コースごとに編成方向が入れ替わるため、編成に使用する編糸の種類によっては編地の見栄えが損なわれる恐れがある。
【００１５】
第一縁部および第二縁部を袋編成によって編成し、渡り糸部の両端部の固定をタックによって行う本発明の編地の編成方法によれば、効率的に編地を編成することができる。袋編成は、給糸口を往復させて編目を袋状に並べる編成方法であり、袋状編目列の最も簡単な編成方法である。また、タックは、最も簡単に渡り糸部の両端部を固定する方法である。なお、言うまでもないが、袋状の第一縁部と第二縁部を編成する方法は、前後の針床に袋状に編目が並んだ状態とすることができる方法であれば良く、袋編成に限定されるわけではない。例えば、割増やしや、ミラノリブなどを利用すれば、前後の針床に袋状に編目を並べることができる。
【００１６】
一方、本発明の編地の製造方法によれば、渡り糸部を切断し、渡り糸部の切断端を第一縁部と第二縁部の袋内部に引き込ませるだけで、第一編地部と第二編地部とが離隔部で離隔した編地を製造することができる。渡り糸部の切断端は、第一縁部と第二縁部の袋内部に引き込まれて外部から見えない状態となり、当該切断端が編地の見栄えを損なうことはない。なお、渡り糸部の切断端を袋内部に引き込ませるには、鈎針などの道具を用いた特別な作業を行う必要はなく、単に編地を編幅方向に軽く引っ張るだけで良い。
【図面の簡単な説明】
【００１７】
【図１】（Ａ）は実施形態１に示すカーディガンの概略図、（Ｂ）は前身頃の離隔部の一部に渡り糸部が形成されたカーディガンの概略図である。
【図２】図１（Ａ）のカーディガンにおける身頃の胴部の編成手順を示す模式図である。
【図３】図１（Ａ）のカーディガンにおける身頃の胴部の編成工程概略図である。
【図４】実施形態２に示すベストの概略図である。
【図５】図４のベストにおける身頃の胸部の編成手順を示す模式図である。
【図６】実施形態３に示すカーディガンの概略図である。
【発明を実施するための形態】
【００１８】
＜実施形態１＞
≪全体構成≫
実施形態１では、図１（Ａ）に示すカーディガン（編地）１００の製造例を説明する。このカーディガン１００は、右前身頃（第一編地部）１と、左前身頃（第二編地部）２と、後身頃４と、を備えており、左右方向に並列する右前身頃１と左前身頃２との間に離隔部３が形成されている。さらに右前身頃１の離隔部３側の端部には袋状の右側縁部（第一縁部）１１が、左前身頃２の離隔部３側の端部には袋状の左縁部（第二縁部）２１が形成されている。
【００１９】
図１（Ａ）のカーディガン１００は、図１（Ｂ）に示す状態で編成されたカーディガン１００を加工することで得られる（どのような加工を行うかについては後述する）。図１（Ｂ）のカーディガン１００は、ネックホールを含む離隔部３のうち、前立てに対応する位置に、右側縁部１１の袋内部と左側縁部２１の袋内部とを繋ぐ渡り糸部３１を備える点が、図１（Ａ）のカーディガン１００と異なる。
【００２０】
上記渡り糸部３１は、右前身頃１、左前身頃２、後身頃４、右側縁部１１、および左側縁部２１と同じ編糸で編成されている。つまり、身頃全体が、渡り糸部３１も含めて同一の編糸で編成されている。この渡り糸部３１の一方の端部は右側縁部１１の袋内部に固定され、渡り糸部３１の他方の端部は左側縁部２１の袋内部に固定されている。その結果、渡り糸部３１によって、右前身頃１と左前身頃２との相対的な位置が保持されている。なお、インターシャ編成などを用いて身頃１，２と、縁部１１，２１とを別の編糸で編成しても良いが、その場合でも縁部１１，２１と渡り糸部３１とは同一の編糸で編成する。
【００２１】
図１（Ｂ）のカーディガン１００は、洗濯された後、セット作業に供される。洗濯の際、渡り糸部３１が右前身頃１と左前身頃２との相対的な位置を保持するため、洗濯後のカーディガン１００のセット作業が行い易い。セット作業が終了したら、渡り糸部３１のうち、離隔部３の位置に配置される部分を切断し、カーディガン１００を編幅方向に軽く引っ張る。そうすることで、渡り糸部３１の左右の切断端がそれぞれ、右側縁部１１の袋内部と左側縁部２１の袋内部に引き込まれ、図１（Ａ）に示すカーディガン１００が得られる。つまり、図１（Ａ）のカーディガン１００の縁部１１，２１の袋内部には、外観からは見えないが、渡り糸部３１の切断端が存在する。
【００２２】
なお、渡り糸部３１における右側縁部１１近傍の位置と左側縁部２１近傍の位置の二箇所を切断すれば、渡り糸部３１の収縮によって、渡り糸部３１の左右の切断端を縁部１１，２１の袋内部に引き込ませることもできる。いずれにせよ、切断端の処理に特別な道具を必要としないし、手間も掛からない。
【００２３】
≪編成方法≫
図１（Ｂ）のカーディガン１００の身頃における胴部は、図２に示す編成手順に示すように、一筆書きの要領で編成することができる。図２における『ｓ』を編成開始点とすると、カーディガン１００は、右前身頃１→右側縁部１１→渡り糸部３１→左側縁部２１→左前身頃２→後身頃４→右前身頃１→…といったように、全体的に反時計回りに周回編成することができる。一定方向にカーディガン１００を周回編成することで、カーディガン１００の全体的な目面を揃えることができ、見栄えの良いカーディガン１００を編成することができる。もちろん、左前身頃２（第一編地部）→左側縁部２１（第一縁部）→渡り糸部３１→右側縁部１１（第二縁部）→右前身頃１（第二編地部）→…といったように、全体的に時計回りに編成することもできる。
【００２４】
ここで、図２において、右側縁部１１の前側部分を後側部分よりも先に編成するのに対して、左側縁部２１の後側部分を前側部分よりも先に編成している。これは、カーディガン１００を表側から見たときに、各部１，１１，２，２１の目面を揃えるためである。編成に使用する編糸によっては目面が揃っていなくてもカーディガン１００の見栄えが損なわれない場合もある。その場合、両縁部１１，２１の前側部分と後側部分のいずれを先に編成してもかまわない。
【００２５】
次に、渡り糸部３１の具体的な編成工程を図３に基づいて説明する。図３の編成工程図では、左右方向に延び、かつ、前後方向に互いに対向する前針床（以下、ＦＢ）と後針床（以下、ＢＢ）を備える２枚ベッド横編機を用いた編成例を説明する。図３における『Ｓ＋数字』は編成工程の番号を、○印は旧編目を、●印は各編成工程で編成される編目を、Ｖ印はタック目を、▽印は給糸口９を示す。なお、図３では、説明を容易にするために、後身頃の編成を省略している。
【００２６】
Ｓ０には、図２の編成手順に従って、前身頃を１コース分編成した状態が示されている。この状態から前身頃の次の１コースを編成する手順を説明する。
【００２７】
編成の手順は、以下の工程α〜工程εに分けることができる。
［工程α］…第一編地部１を構成する第一編目列１ｓを、離隔部３に向かって編成する。
［工程β］…第一編地部１における離隔部３側の端部に続けて、第一縁部１１を構成する第一袋状編目列１１ｓを編成する。
［工程γ］…給糸口９を移動させてその編糸９Ｙを第二編地部２の離隔部３側の端部となる位置に向かって延ばし、給糸口９から給糸された編糸９Ｙの一部が第一袋状編目列１１ｓの袋内部を横切った状態とすることで、渡り糸部３１を形成する。
［工程δ］…渡り糸部３１の延伸領域に重複する位置で、第二縁部２１を構成する第二袋状編目列２１ｓを編成し、渡り糸部３１の一部が第二袋状編目列２１ｓの袋内部を横切った状態とする。
［工程ε］…第二編地部２を構成する第二編目列２ｓを、離隔部３から離れる方向に向かって編成する。
【００２８】
Ｓ１では、給糸口９を離隔部３側に近づく方向（左前身頃２のある方向）に移動させ、右前身頃１を構成する第一編目列１ｓをＦＢに編成した（工程α）。また、Ｓ１では、第一編目列１ｓの離隔部３側の端部に続けて、袋状の右側縁部１１の前側部分を構成する編目列をＦＢに編成した。
【００２９】
Ｓ２では、給糸口９を離隔部３から離れる方向（右前身頃１のある方向）に移動させ、袋状の右側縁部１１の後側部分を構成する編目列をＢＢに編成した。Ｓ１の後半部分とＳ２とによって、ＦＢとＢＢに袋状に編目が並ぶ第一袋状編目列１１ｓが編成される（工程β）。
【００３０】
Ｓ３では、第一編目列１ｓにおける離隔部３側の端部近傍の編目に給糸口９から給糸される編糸９Ｙをタックによって固定した後、給糸口９を移動させてその編糸９Ｙを左前身頃２の離隔部３側の端部となる位置に向かって延ばす（工程γ）。その結果、給糸口９から給糸された編糸９Ｙの一部が第一袋状編目列１１ｓの袋内部を横切った状態となる。さらにＳ３では、編糸９Ｙをタックによって左前身頃２の離隔部３側の端部近傍の編目に固定した。その結果、始端部と終端部とがそれぞれ、タックによって右前身頃１と左前身頃２に固定された渡り糸部３１が形成される。
【００３１】
ここで、タックによる渡り糸部３１の始端部の固定は、給糸口９を離隔部３から離れる方向に移動させるＳ２の最後に行っても良いし、タックによる渡り糸部３１の終端部の固定は次のＳ４の最初に行っても良い。また、タックの数を増やして、渡り糸部３１の始端部と終端部の固定をより強固なものとしても良い。なお、渡り糸部３１の固定は、タックによって行うことに限定されるわけではなく、ニットや割増やしによって行うこともできる。
【００３２】
Ｓ４では、給糸口９を離隔部３に近づく方向（右前身頃１がある方向）に移動させ、渡り糸部３１の延伸方向に重複する位置で、袋状の左側縁部２１の後側部分を構成する編目列をＢＢに編成した。
【００３３】
Ｓ５では、給糸口９を離隔部３から離れる方向（左前身頃２がある方向）に移動させ、袋状の左側縁部２１の前側部分を編成した後、左前身頃２を構成する第二編目列２ｓを編成した（Ｓ４とＳ５の前半部分が工程δ、Ｓ５の後半部分が工程ε）。
【００３４】
Ｓ５の後は、図２に示す後身頃４の編成を行った。その結果、図１（Ｂ）のカーディガン１００の身頃の胴部を１コース分編成することができる。以降は、図３のＳ１〜Ｓ５の編成と、後身頃の編成と、を順次繰り返すことで、図１（Ｂ）のカーディガン１００を完成させることができる。
【００３５】
以上説明した図２，３の編成方法によれば、カーディガン１００の身頃を、同一の給糸口９を用いて編成することができる。つまり、挿入糸を用いて離隔部を結束する従来の編成方法よりも、使用する給糸口の数を減らすことができ、それに伴って、糸入れ・糸出しの手間を減らすことができる。その結果、カーディガン１００の生産性を従来よりも向上させることができる。
【００３６】
＜実施形態２＞
本発明の編地の編成方法を利用して、図４に示すような右前身頃１と左前身頃２との間に離隔部３が形成されたベスト１０１を編成することもできる。当該離隔部３における渡り糸部（図示せず）の形成は、実施形態１の図３と同様に行うと良い。
【００３７】
ここで、ベスト１０１には、アームホールが形成されている。このアームホールは、前後に並列される前身頃１，２と後身頃４との間に形成される離隔部３と見做すこともできる。従って、アームホールにも渡り糸部を形成し、渡り糸部で前身頃１，２と後身頃４とを繋いでも良い。図４の二点鎖線で示す部分の編成手順の一例を図５に示す。図５の見方は実施形態１の図２と同様である。
【００３８】
図５の『ｓ』を始点とした場合、図５の矢印に示す手順でベスト１０１を編成することができる。左右に並列される右前身頃１と左前身頃２の編成については、図２，３と同様に行うことができる。また、前後に並列される左前身頃２と後身頃４の編成については、左前身頃２（第一編地部）→第一縁部１１→渡り糸部３１→第二縁部２１→後身頃４（第二編地部）、の順に編成する。さらに、前後に並列される後身頃４と右前身頃１の編成については、後身頃４（第一編地部）→第一縁部１１→渡り糸部３１→第二縁部２１→右前身頃１（第二編地部）、の順に編成する。ベスト１０１の編成が終了したら、洗濯してセット作業を行い、渡り糸部３１を切断することで、図４のベスト１０１を完成させる。
【００３９】
なお、図５の編成手順でベスト１０１を編成する場合、縁部１１，２１と身頃１，２，４とが閉じ合わされないように、目移しを行いながらベスト１０１を編成する。その目移しのための空針を確保するため、このベスト１０１の編成には４枚ベッド横編機を利用することが好ましい。
【００４０】
＜実施形態３＞
実施形態１，２では、筒状の編地を編成する例を説明した。これに対して、実施形態３では、図６に基づいて離隔部を有する単層編地の編成例を説明する。
【００４１】
図６は、平面展開された状態で編成されたカーディガン１００の概略図である。このカーディガン１００は、前身頃１，２の裾側から編成を開始し、後身頃４の裾側で編成を終了することで得られる単層編地である。このカーディガン１００の開き部３に渡り糸部３１を形成しながら前身頃１，２を編成する場合、以下に示す［１］、［２］を交互に繰り返すと良い。
［１］…右前身頃１→右側縁部１１→渡り糸部３１→左側縁部２１→左前身頃２の順に１コース分の編成を行う。
［２］…左前身頃２→左側縁部２１→渡り糸部３１→右側縁部１１→右前身頃１の順に１コース分の編成を行う。
【００４２】
カーディガン１００の編成が終了したら、前身頃１，２の脇ラインと後身頃４の脇ラインとを縫製で接合すると共に、縫製によって袖を筒状に接合し、洗濯→セット作業→渡り糸部３１の切断を経て、カーディガン１００を完成させる。
【００４３】
＜その他の実施形態＞
本発明の編地の編成方法によって、前身頃１（後身頃４）の部分にスリット状の離隔部３を複数設けたニットウェアを編成しても良い。例えば、裾から所定の高さまで前身頃１と後身頃４を筒状に編成した後、前身頃１を編幅方向に複数の編地部に分岐させ、再び複数の編地部を一つに繋ぐことで、前身頃１の途中にスリット状の離隔部３を形成できる。その複数の編地部を本発明の編地の編成方法によって一連に編成することができる。もちろん、裾に開口するスリット状の離隔部３を設けることもできる。
【００４４】
その他、編地１００，１０１に設けた渡り糸部３１を切断せずに編地１００，１０１の装飾として残しても構わない。
【符号の説明】
【００４５】
１００  カーディガン（編地）
１０１  ベスト（編地）
１  右前身頃（第一編地部）  １ｓ  第一編目列
１１  右側縁部（第一縁部）  １１ｓ  第一袋状編目列
２  左前身頃（第二編地部）  ２ｓ  第二編目列
２１  左側縁部（第二縁部）  ２１ｓ  第二袋状編目列
３  離隔部  ３１  渡り糸部
４  後身頃
９  給糸口  ９Ｙ  編糸
ＦＢ  前針床  ＢＢ  後針床
【図１】
2015124445.tif 000003
【図２】
2015124445.tif 000004
【図３】
2015124445.tif 000005
【図４】
2015124445.tif 000006
【図５】
2015124445.tif 000007
【図６】
2015124445.tif 000008